(57)【要約】本発明は、以下を含む、歯列矯正用のセルフライゲーティングブラケットに関する。スライド（１３）は、溝（７）を橋渡しする閉位置と溝（７）が開いている開位置との間で移動することができる。スライド（１３）を閉位置と開位置の両方に保持できる手段。これらの手段は、歯肉および／または咬合壁（５、６）に、スライド（１３）に向かって開いており、ロッキング要素（２２）が挿入され、スライド（１３）に対して向けられている窪み（２１）を含む。スライド（１３）。本発明によれば、ロッキング要素（２２）は、凹部（２１）内で変位可能に案内され、弾性的またはエラストマー的に曲げ可能な鋭端（２５）を有し、スライド（１３）がロッキングの凸状端部（２２ａ）上に押されると、ロッキング要素（２２）は、窪み（２１）内により深く変位し、それにより、弾性的またはエラストマー的に曲げられ、それにより、復元力を構築する。【選択図】図２、図６
2021529600.tif 000002
【特許請求の範囲】
【請求項１】
ベース（１）と、
前記ベース（１）から延びる咬合壁（６）と、
前記ベース（１）から延びる歯肉壁（５）と、
前記咬合壁（６）と前記歯肉壁（５）とを分離し、且つ、近心方向から遠心方向に連続的に延びる溝（７）と、
唇側と舌側とを備え、前記咬合壁（６）及び／又は前記歯肉壁（５）に設けられたガイド（１１，１２，１４，１５）に保持され、ガイド内で歯肉−咬合方向に、前記溝（７）を橋渡しする閉鎖位置と前記溝（７）が解放される開放位置との間で、滑動可能なスライド（１３）と、
前記スライド（１３）をその閉鎖位置及びその開放位置の両方で保持する手段と、
を有し；
これらの手段は、前記歯肉壁（５）および／または前記咬合壁（６）において、前記スライド（１３）に向かって開いている凹部（２１）を含み、この凹部（２１）には、ロッキング要素（２２）が挿入されていて、前記ロッキング要素（２２）は、前記凹部（２１）から突出する凸に設計された唇側端（２２ａ）と、前記スライド（１３）の舌側に向けられ、前記凹部（２１）内に位置する舌側端（２２ｂ）とを有し；
前記舌側（１３）のスライドには、第１の窪み（３０，３２）と第２の窪み（２８，３３）が設けられ、これらは、前記窪み（２１）から突出した前記ロッキング要素（２２ａ）の凸端（２２ａ）が、前記スライド（１３）が開いた位置にあるときに前記第１の窪み（３０，３２）に入り、前記スライド（１３）が閉じた位置にあるときに前記第２の窪み（２８，３３）に入り込むように配置されていて；
ブラケットは、以下の付加的特徴によって特徴づけられる：
前記ロッキング要素（２２）の前記舌側端（２２ｂ）に隣接し、前記凹部（２１）には自由な空間が設けられている；
前記ロッキング要素（２２）は、舌側−唇側方向に前後に移動できるように前記凹部（２１）に誘導され、唇側−舌側方向に面する前記後端（２２ｂ）を有し、前記ロッキング要素（２２）が前後に移動するにつれて前記ロッキング要素（２２）を囲む前記凹部（２１）の壁（２１ａ〜２１ｇ）上を滑動する、弾性的または弾性的に屈曲可能な１つ以上の鋭端（２５）を有する；
前記凹部（２１）は唇から舌方向に先細りし、前記凹部（２１）と前記ロッキング要素（２２）は、その形状および位置に関して互いに適合し、前記スライド（１３）を前記ロッキング要素（２２）の前記凸端（２２ａ）上に押し上げると、前記ロッキング要素（２２）を前記第１の窪み（３０，３２）または前記第２の窪み（２８，３３）から強制的に押し出し、前記凹部（２１）の奥深くに入り込むようになり、前記凹部（２１）の先細り部分の前記鋭端（２５）を壁（２１ａ〜２１ｇ）によって偏向させ、その上を滑動して前記凹部（２１）の奥深くに入り、弾性的または弾性的に屈曲して、必然的に接近するように構成された、
歯列矯正用セルフライゲーションブラケット。
【請求項２】
ベース（１）と、
前記ベース（１）から延びる咬合壁（６）と、
前記ベース（１）から延びる歯肉壁（５）と、
前記咬合壁（６）と前記歯肉壁（５）とを分離し、且つ、近心方向から遠心方向に連続的に延びる溝（７）と、
唇側と舌側とを備え、前記咬合壁（６）及び／又は前記歯肉壁（５）に設けられたガイド（１１，１２，１４，１５）に保持され、ガイド内で歯肉−咬合方向に、前記溝（７）を橋渡しする閉鎖位置と前記溝（７）が解放される開放位置との間で、滑動可能なスライド（１３）と、
前記スライド（１３）をその閉鎖位置及びその開放位置の両方で保持する手段と、
を有し；
これらの手段は、前記歯肉壁（５）および／または前記咬合壁（６）において、前記スライド（１３）に向かって開いている凹部（２１）を含み、この凹部（２１）には、ロッキング要素（２２）が挿入されていて、前記ロッキング要素（２２）は、前記凹部（２１）から突出する凸に設計された唇側端（２２ａ）と、前記スライド（１３）の舌側に向けられ、前記凹部（２１）内に位置する舌側端（２２ｂ）とを有し；
前記舌側（１３）のスライドには、第１の窪み（３０，３２）と第２の窪み（２８，３３）が設けられ、これらは、前記窪み（２１）から突出した前記ロッキング要素（２２）の凸端（２２ａ）が、前記スライド（１３）が開いた位置にあるときに前記第１の窪み（３０，３２）に入り、前記スライド（１３）が閉じた位置にあるときに前記第２の窪み（２８，３３）に入り込むように配置されていて；
ブラケットは、以下の付加的特徴によって特徴づけられる：
前記ロッキング要素（２２）の前記舌側端（２２ｂ）に隣接し、前記凹部（２１）には自由な空間が設けられている；
前記ロッキング要素（２２）は、舌側−唇側方向に前後に移動できるように前記凹部（２１）に誘導され、唇側−舌側方向に面する前記後端（２２ｂ）を有し、前記ロッキング要素（２２）が前後に移動するにつれて前記ロッキング要素（２２）を囲む前記凹部（２１）の壁（２１ａ〜２１ｇ）上を滑動する、弾性的または弾性的に屈曲可能な１つ以上の鋭端（２５）を有する；
前記凹部（２１）は唇から舌方向に先細りし、前記凹部（２１）と前記ロッキング要素（２２）は、その形状および位置に関して互いに適合し、前記スライド（１３）を前記ロッキング要素（２２）の前記凸端（２２ａ）上に押し上げると、前記ロッキング要素（２２）を前記第１の窪み（３０，３２）または前記第２の窪み（２８，３３）から強制的に押し出し、前記凹部（２１）の奥深くに入り込むようになり、前記凹部（２１）の先細り部分の前記鋭端（２５）を壁（２１ａ〜２１ｇ）によって偏向させ、その上を滑動して前記凹部（２１）の奥深くに入り、弾性的または弾性的に屈曲して、必然的に接近するように構成された、
歯列矯正用セルフライゲーションブラケット。
【請求項３】
前記凹部（２１）が連続的に漸減することを特徴とする請求項１又は２に記載のブラケット。
【請求項４】
前記凹部（２１）が閉じた舌側端を有することを特徴とする、請求項１、２または３に記載のブラケット。
【請求項５】
前記ロッキング要素（２２）がプラスチックからなることを特徴とする、先の請求項のいずれか一項に記載のブラケット。
【請求項６】
プラスティックが熱硬化性、例えばポリアリールエーテルケトン、特にポリエーテルエーテルケトン（ＰＥＥＫ）であることを特徴とする、請求項５に記載のブラケット。
【請求項７】
前記スライド（１３）および前記ロッキング要素（２２）を含む前記ブラケットが透明または半透明であることを特徴とする、請求項５または６に記載のブラケット。
【請求項８】
前記凹部（２１）が前記スライド（１３）に隣接する領域に一定の断面を有し、その後先細りすることを特徴とする、先の請求項のいずれか１項に記載のブラケット。
【請求項９】
前記凹部（２１）が長方形の断面を有し、楔のように先細りすることを特徴とする請求項８に記載のブラケット。
【請求項１０】
前記第１の窪み（３０）と前記第２の窪み（２８）が前記スライド（１３）の舌側に長方形の輪郭をもつことを特徴とする請求項９に記載のブラケット。
【請求項１１】
前記凹部（２１）が円錐形の断面をもち、円錐形に先細りすることを特徴とする請求項８に記載のブラケット。
【請求項１２】
前記第１の窪み（３２）と前記第２の窪み（３３）が前記スライド（１３）の舌側に円形の輪郭をもち、特に円錐形またはフラストコニカルであることを特徴とする請求項１１に記載のブラケット。
【請求項１３】
前記凹部（２１）の２つのくさび形または円錐形の表面（以下、くさび形の表面）の間の角度、または円錐形の開口角度が８０°〜１００°、特に約９０°であることを特徴とする、請求項９〜１２のいずれか１項に記載のブラケット。
【請求項１４】
前記ロッキング要素（２２）上に、フォークのように配置された２つの鋭端（２５）が用意されていることを特徴とする先の請求項のいずれか１項に記載のブラケット。
【請求項１５】
前記鋭端（２５）は、その前記凸状の端部（２２ａ）に圧力を加えることによって、前記係止要素（２２）をより深く前記凹部（２１）内に押圧することによって互いに近づけることができ、その間、一方の前記鋭端（２５）または両方の前記鋭端（２５）は、前記凹部（２１）の前記テーパ状の部分における前記壁（２１ｆ、２１ｂ）上を摺動することによって曲げられることを特徴とする、請求項１４に記載のブラケット。
【請求項１６】
２つの前記鋭端（２５）は、設計上、鏡面反転された同一であることを特徴とする請求項１４または１５に記載のブラケット。
【請求項１７】
前記ロッキング要素（２２）が、２つの相互に平行に走る前記鋭端（２５）からなるアーチ状の本体（２３）と、前記ロッキング要素（２２ａ）の前記凸端（２２ａ）を担う、それらを連結する頭部セクション（２６）を有することを特徴とする、先のクレームのいずれか１項に記載のブラケット。
【請求項１８】
前記ロッキング要素（２２）が、前記面取り部（２４）を備えた外縁を有することを特徴とする、先の請求項のいずれか１項に記載のブラケット。
【請求項１９】
前記鋭端（２５）が、端部で前記凹部（２１）の隣接壁面に面する傾斜面または円錐面（２７）を有することを特徴とする、先の請求項のいずれか１項に記載のブラケット。
【請求項２０】
傾斜面又は円錐面（２７）がロッキング要素（２２）の弛緩状態で前記凹部（２１）の前記隣接壁面（２１ｆ，２１ｇ）に平行に走ることを特徴とする請求項１９に記載のブラケット。
【請求項２１】
無応力状態において、鋭端（２５）は、前記凹部（２１）の前記壁（２１ｆ、２１ｇ）に対して平坦に、特に完全に横たわることを特徴とする請求項８〜２０のいずれか１項に記載のブラケット。
【請求項２２】
前記ブラケットの本体、特に前記歯肉壁（５）にストッパ（１８）が設けられ、前記スライド（１３）がその開位置からその閉位置に移動されながら閉位置を越えて変位するのを防止することを特徴とする、先行する請求項のいずれか１項に記載のブラケット。
【請求項２３】
前記スライド（１３）の舌側の表面が、２つの前記窪み（２８，３０）を除いて平らであることを特徴とする、先の請求項のいずれか１項に記載のブラケット。
【請求項２４】
２つの前記窪みの間に横たわる領域（２６）（２８，３０）を除いて、スライド（１３）の舌面が共有面にあるのに対し、２つの前記窪みの間に横たわる領域（２８，３０）は、共有面に対して深くなるが、２つの前記窪み（２８，３０）よりも深くなることが少ないことを特徴とする、請求項１〜２２のいずれか１項に記載のブラケット。
【請求項２５】
２つの前記窪み（２８，３０）の間のより前記深い横たわり領域（２６）が平らであることを特徴とする、請求項２４に記載のブラケット。
【請求項２６】
前記第２の前記凹部（２８）が前記第１の窪み（３０）より深いことを特徴とする、先の請求項のいずれか１項に記載のブラケット。
【請求項２７】
少なくとも前記第２の凹部（２８）の輪郭が前記ロッキング要素（２２）の前記凸端（２２ａ）の輪郭に調整されていることを特徴とする、先の請求項のいずれか１項に記載のブラケット。
【発明の詳細な説明】
【技術分野】
【０００１】
本発明は、請求項１の序文に示された特徴を有するブラケットに関する。
【背景技術】
【０００２】
このようなブラケットは特許文献１から知られている。技術用語で“ｓｌｏｔ”と呼ばれ、溝を閉じるために、既知のブラケットはスライドを有し、これは、咬合壁とブラケットの歯肉壁の両方に提供され、側方ガイド溝の中でずれることができる。
【０００３】
スライドをその開放位置およびその閉鎖位置の両方で保持することができるように、スライドに向かって開放された凹部が２つの壁のうちの１つに設けられている。この凹部には、可撓性のないシリンダを支持する可撓性のスラストベアリングが設けられており、そのジャケット表面は凹部から突出しており、可撓性のスラストベアリングによってその言語側であるスライドの下側に押し付けられている。
【０００４】
スライドの下側に形成されたレリーフと相互作用し、スラストベアリングとその上に横たわるシリンダとからなるこの構成は、スライドをその開位置およびその閉位置の両方で保持する役目を果たす。
【先行技術文献】
【特許文献】
【０００５】
【特許文献１】欧州特許第２３８１８８０号明細書
【発明の概要】
【発明が解決しようとする課題】
【０００６】
しかしながら、特にブラケットの寸法が小さいことを考えると、スラスト軸受とその上に横たわるシリンダをブラケットに取り付ける間には、特別な注意とそれに対応する製造上の工夫が必要である。
【０００７】
本発明の目的は、最初に言及したような小さな寸法のブラケットについて、ブラケットの製造および組立てのための努力を減少させることができる構成を提供することである。
【課題を解決するための手段】
【０００８】
この目的は、請求項１に示された特徴を有するブラケットによって達成されるとともに、独立請求項２に示された特徴を有するブラケットによって達成される。
【０００９】
本発明の有利な改良は、従属クレームの主題である。
【００１０】
本発明のブラケットは、
ベースと、
前記ベースから伸びる咬合壁と、
前記ベースから伸びる歯肉壁と、
前記咬合壁と歯肉壁とを互いに分離し、且つ、近心から遠心方向に連続的に伸びる溝と、
唇側と舌側とを備え、前記咬合壁及び／又は前記歯肉壁に設けられたガイドに保持され、ガイド内で歯肉−咬合方向に、前記溝を橋渡しする閉鎖位置と前記溝が解放される開放位置との間で、滑動可能なスライドと、
前記スライドをその閉鎖位置及びその開放位置の両方で保持する手段と、
を有し；
これらの手段は、前記歯肉壁および／または前記咬合壁において、前記スライドに向かって開いている凹部を含み、この凹部には、ロッキング要素が挿入されていて、前記ロッキング要素は、前記凹部から突出する凸に設計された唇側端と、前記スライドの舌側に向けられ、前記凹部内に位置する舌側端とを有し；
前記舌側のスライドには、第１の窪みと第２の窪みが設けられ、これらは、前記窪みから突出した前記ロッキング要素の凸端が、前記スライドが開いた位置にあるときに前記第１の窪みに入り、前記スライドが閉じた位置にあるときに前記第２の窪みに入り込むように配置されていて；
前記ロッキング要素の前記舌側端に隣接し、前記凹部には自由な空間が設けられている；
前記ロッキング要素は、舌側−唇側方向に前後に移動できるように前記凹部に誘導され、唇側−舌側方向に面する前記後端を有し、前記ロッキング要素が前後に移動するにつれて前記ロッキング要素を囲む前記凹部の壁上を滑動する、弾性的または弾性的に屈曲可能な１つ以上の鋭端を有する；
前記凹部は唇から舌方向に先細りし、前記凹部と前記ロッキング要素は、その形状および位置に関して互いに適合し、前記スライドを前記ロッキング要素の前記凸端上に押し上げると、前記ロッキング要素を前記第１の窪みまたは前記第２の窪みから強制的に押し出し、前記凹部の奥深くに入り込むようになり、前記凹部の先細り部分の前記鋭端を壁によって偏向させ、その上を滑動して前記凹部の奥深くに入り、弾性的または弾性的に屈曲して、必然的に接近するように構成された、
歯列矯正用セルフライゲーションブラケット。
【発明の効果】
【００１１】
本発明には有意な利点がある：
柔軟なスラスト軸受とその上に横たわる硬い円筒とからなる構成の代わりに、本発明によるブラケットには、一体の係止要素のみが設けられる。
【００１２】
ロッキング要素は、コスト効率よく、かつ射出成形を介して必要な精度で製造することができる。
【００１３】
ロッキング要素は、凸状後端部を有し、凸状後端部が凹部から突出するようにブラケットの凹部内に位置決めされる。
【００１４】
ロッキング要素が矩形断面を有する場合、凸状端部の表面は、シリンダのジャケット表面が従来技術でそうであるように、凹部から突出するシリンダジャケット表面の一部とすることができる。
【００１５】
その結果、特許文献１によれば、ブラケットのスライドを先行技術から変更せずに採用することができる。
【００１６】
しかしながら、ロック要素は、円形断面を有することもできる。
【００１７】
次いで、凸状端部は、設計上、特に、球状セグメント表面のように形作られた表面と共に球状であり得る。
【００１８】
製造公差を補償するために、従来技術では、レセプタクル内のスラスト軸受の位置を個別に調整する必要があった。
【００１９】
この目的のために、凹部は特許文献１に従った先行技術の中で、ブラケットの下側に連続的に伸びる挿入点のように設計されている。
【００２０】
これにより、スラストベアリングを下側からスロット内に滑り込ませ、凹部の上縁から正しい距離に位置させ、スロット内に下から導入した接着剤を用いてこの位置に固定することが可能となった。
【００２１】
対照的に、本発明は、上唇縁からある程度離れた位置に、先細りの部分を設け、そこに、１本又はそれ以上の鋭端を備えたロッキング要素を弾力的に挿入することができる凹部を提供する。
【００２２】
この解決策は、先行技術ほど高い精度を必要としない。
【００２３】
とりわけ、これは、係止要素の機能にとって重要な弾力が、特許文献１による従来技術のようにスラスト軸受ブロックを圧縮することによって生成されるのではなく、１つまたは複数の鋭端を曲げることによって生成されるからである。
【００２４】
このため、従来技術と比較してロック要素を位置決めしながら、本発明によれば、より大きな位置誤差を許容することができる。
【００２５】
先行技術とは対照的に、接着接合プロセスは、いかなる場合においても、係止要素の位置決めに必要とされないので、凹部がブラケットの下側に向かって開いている必要はない。
【００２６】
このように、凹部にかかわらず、ブラケットの下側を構造化し、歯にブラケットを固定するための接着剤で下側をコーティングするのに最良の方法で保持することができる。
【００２７】
凹部をブラインドホールとして構成することは、特別な操作を必要とせず、むしろ射出成形プロセスでブラケットを製造する間、具体的にはプラスチック射出成形プロセスでブラケットをプラスチックから製造する間、金属粉末射出成形（ＭＩＭ）を介して金属からブラケットを製造する間、およびセラミック粉末射出成形（ＣＩＭ）を介してブラケットをセラミックから製造する間に形成することができる。
【００２８】
ロック要素に円形の輪郭を選択した場合、ロック要素を受け入れる凹部もボアホールとなり得る。
【００２９】
本発明のロッキングメンバーは非常にコンパクトなデザインを有することができ、特に患者が好む小型の自己連結ブラケットに適している。
【００３０】
本発明によるロッキング要素は、ブラケット内に容易に配置することができる。
【００３１】
本発明によるロッキング要素の位置決めは、自動化することができる。
【００３２】
これにより、ブラケットの製造コストが低下する。
【００３３】
本発明によるロッキング要素は、過負荷から保護された凹部内に収容され、案内される。
【００３４】
本発明によるロッキング要素は、外来物質が凹部内に望ましくないように貫通するのを効果的に防止することができる。
【００３５】
本発明の枠組みの中で、特徴「凸」は数学的立場から理解される。
【００３６】
厳密に凸状の表面は、厳密に凸状の表面上のすべての点対に対して、表面上の２点を結ぶ線が表面と交差することを応用する点に特徴がある。
【００３７】
しかしながら、本発明の意味内の凸状は、表面上の第１のサブセットの点対を結ぶ線が表面と交差する表面でもあり、一方、第２のサブセットの点対を結ぶ線は表面上を走る。
【００３８】
後者は凸面の表面に適用され、交差線が多角形の鎖を含むような方法で平面によって交差してもよい。
【００３９】
スライドをその閉位置とその開位置との間で変位させるとき、その下側、すなわちスライドの言語的側面は、ロッキング要素の凸状の側面上を移動させなければならず、ここで、下側の２つの凹部の間に横たわるスライドの下側の突起は、ロッキング要素が対応する方法で凹部内に同時に押圧された場合にのみ交差させることができ、ロッキング要素の少なくとも１つの鋭端は、曲げられ、これは、凹部からロッキング要素の陰側端部を変位させ、再びスライドの開位置においてスライドの下側に設けられた第１または第２の凹部内に戻す復元力を生成する。
【００４０】
復元力が１つまたは複数の鋭端を曲げることによって発生するという事実は、特許文献１による従来技術では、ロッキング要素がシリンダよりも大きな変位経路をカバーすることを可能にする。
【００４１】
次に、これにより、ロッキング要素は、スライドの開放位置よりも、スライドの閉鎖位置において、さらに凹部から突出することが可能となり、これは、スライドの閉鎖位置において、スライドの舌側の対応する凹部にさらに深く突き出すことを意味する。
【００４２】
この利点は、スライドの閉じた位置での場所が、開いた位置よりもよく固定されていることである。
【００４３】
これは、ブラケットが患者の口の中で、特に咀嚼しながら、不用意に開口しないようにすることが目的であるのに対し、開いた姿勢は矯正医による患者の治療中にのみ必要であり、唯一の対象は、開いた姿勢でブラケットの滑り落ちを防止することであるため、利点がある。
【００４４】
したがって、ロッキング要素がスライドの閉じた位置に巻きつく第２の窪みは、ロッキング要素がスライドの開いた位置に巻きつく第１の窪みより深い。
【００４５】
ロッキング要素は、フォークのように配置された、まさに２つの鋭端を有し、そのデザインおよび配置の点で同一または鏡面反転していることが好ましい。
【００４６】
この場合、両側の鋭端を曲げることで、回復力に等しく寄与することができる。
【００４７】
しかし、両鋭端を違ったデザインにすることも可能であり、その結果、両鋭端が同じように硬くなるわけではない。
【００４８】
鋭端は基本的に、ほんのわずかに曲がるだけか、まったく曲がらないようにデザインが非常に硬いのに対し、もう一方の鋭端は曲がりやすく、基本的には曲げただけで必要な回復力を加えることができる。
【００４９】
基本的には、２つ以上の鋭端、例えば２つの隣接する鋭端対を提供することも可能である。
【００５０】
唇縁に隣接して、ロッキング要素を受け取る凹部は、その深さの１つの部分に一定の断面を最初に持ち、続いて先細りすることが好ましい。
【００５１】
従って、この場合、最初に凸端に隣接するロッキング要素は、凹部の一定の断面に対応する特定の長さにわたって一定の断面を有し、その後、１つ又は複数の鋭端に対応する。
【００５２】
この２本の一定断面積は、ロッキング要素が一定方向に偏位することを保証するだけでなく、凹部内への異物の侵入を防ぐことができる。
【００５３】
凹部のテーパ部に差し込まれた鋭端は、復元力を蓄積し、これは、スライドの閉位置および開位置においてロック要素を前方に押し出し、スライドの舌側のそれぞれの凹部にロックする。
【００５４】
凹部は、好ましくは、連続的に先細りするが、凹部の壁は、一定断面を有する断面から先細り断面を有する断面への移行部で曲がることができる。
【００５５】
ロッキング要素は好ましくはプラスチックから成り、ここでは型形成性が所望のエラストマーまたは弾性挙動と結合する。
【００５６】
また、ロッキング要素は透明または半透明のプラスチックで構成されている可能性がある。
【００５７】
この点は、ブラケットが他の点でも透明または半透明の物質から成る場合に有利であり、これはプラスチックまたはセラミックであり得る。
【００５８】
ロッキング要素に適したプラスチックには、ポリアリールエーテルケトン、特にポリエーテルエーテルケトン（ＰＥＥＫ）が含まれる。
【００５９】
機械的安定性の理由から、ロッキング要素は、その非テーパ部内に長方形部を有することが有利である。
【００６０】
したがって、その後、凹部は、その非テーパ領域内に矩形断面も有する。
【００６１】
その後の凹部は、楔のように漸減するのが望ましい。
【００６２】
この場合、２つの楔面は、８０°〜１００°の角度が好ましいが、できれば約９０°の角度が好ましい。
【００６３】
その結果、本発明は、小さなブラケットに対して可能であり、一般的には、０．３ｍｍしか測定しない、小さな変位経路が与えられれば、良好に実現することができる。
【００６４】
好ましくは、楔のように先細になる窪みに設けられ、その端部は、好ましくは、窪みの隣接する壁面に対向する傾斜面を有する、フォークのように配置された２つの鋭端のみを有する係止要素である。
【００６５】
応力がかからない状態では、鋭端の先細り部分の凹部の壁に対して、特に完全に平らに横たわることができ、おそらくそれらの好ましい傾斜面もまた、横たわることができる。
【００６６】
ロッキング要素の配置は、スライドがその閉鎖位置にあるとき、またはその開放位置にあるときに、スライドに圧力を加えない、またはほとんど加えないように、設けることができる。
【００６７】
しかし、スライドが開いた位置または閉じた位置にある場合、その凸端が圧力下でスライドの舌側に接することはロッキング要素のロッキング機能にとって有利である。
【００６８】
スライドの閉鎖位置では、後者は、原則として、第２の窪みに係合するロッキング要素によって、その位置に固定することができる。
【００６９】
しかし、特に咀嚼時に生じる力が咬合方向の第２の窪みからスライドを押し出さないようにするためには、ブラケットの車体にストップを設け、開放位から所定の閉鎖位へと移動させながら、スライドが閉鎖位を超えてずれるのを防ぐことが望ましい。
【００７０】
停止部は、開口位から停止部に逆らって閉鎖位に移動させたときに、滑りが咬合的に歯肉方向に入ってくるのを押し込むように配置することが好ましい。
【００７１】
１番目と２番目の窪み以外では、スライドの舌側は平らにできる。
【００７２】
この形状は、特にスライド用に作製するのが簡単である。
【００７３】
しかし、スライドの舌側も、第１凹部と第２凹部の外側の平らな表面だけで境界になるように構造化することができる。
【００７４】
特に、スライドの舌面は、第１の窪みと第２の窪みの間に横たわり、それに対して突出している領域を除いて、共有面に横たわっているが、第１の窪みと第２の窪みの間に横たわっている領域もその共有面に対して深くなっているが、第１の窪みと第２の窪みよりは深くなっていないという利点がある。
【００７５】
このスライドの舌側の深くなった部分も同様に、第１の窪みと第２の窪みの間のデザインが平坦になる。
【００７６】
第２の窪みは、第１の窪みよりも深いことが望ましい。
【００７７】
その結果、スライドは開いた位置よりも閉じた位置に固定されやすくなる。
【００７８】
好ましくは、第２の窪みの輪郭は、ロッキング要素の凸状端部の輪郭にほぼ調整されるか、または密接に調整される。
【００７９】
この利点は、特に遊びが少なく、スライドが特に閉じた位置に固定されていることである。
【００８０】
この利点は、スライドの開いた位置に重要な役割を果たさず、その結果、最初の窪みの輪郭が、欠点もなくロッキング要素の凸端の形状にあまりうまく調整できないことである。
【００８１】
例えば、最初の窪みは平坦なトラフとなりうる。
【００８２】
本発明の例示的な実施形態は、添付の図に示されている。
【００８３】
実施形態において、同一または対応する部分は、対応する参照番号で標識される。
【図面の簡単な説明】
【００８４】
【図１】は、本発明によるブラケットの斜視図を示し、
【図２】は、スライドおよびロック要素が取り外される、図１に対して拡大されたスケールでの図１上のロック要素の詳細を示し、
【図３】は、ロッキング要素の挿入後およびスライドの挿入前の図１のブラケットを示し、
【図４】は、その閉位置でのスライドを伴うブラケットが、図３上の矢印に対して直角の平面内でロッキング要素を介して中央に配置される、
【図５】は、そのスライドをその閉位置でのブラケットの斜視図を示し、
【図６】は、図４上のセクションと同じ平面内に横たわるセクション内のブラケットを示すが、閉位置と開位置との間の位置でのスライドを伴う、
【図７】は、スライドの２つのガイドと平行なブラケットの長手方向中央平面を通るセクションを示し、
【図８】は、スライドの変位方向で切断されたブラケットの詳細の概略的斜視図を示す、ロッキング要素が主に円筒形で設計上の円筒形であり、スライドの下側がそれに調整され、スライドがその閉位置にある図１〜７に描かれたブラケットの変形例を示し、
【図９】は、図８に描かれた詳細のセクションを示し、ここで、係止要素はまた、スライドがその閉位置にある状態で切断され、
【図１０】は、スライドが開位置と閉位置との間の中間位置にある状態で、図９上のようなセクションを示す。
【図１１】は図９と同様の断面を示し、スライドを開いた状態にしてある。
【発明を実施するための形態】
【００８５】
図１〜７に示したブラケットは、凹曲したベース１を有し、その湾曲は歯の前側に近似している。ブラケットの舌側面を形成するその下側２上に、ベース１は、ほぼ矩形の断面を有する列状に配列された窪み３を有する。ブラケットを歯に接着させるために、下側２に接着剤を塗布することができる。
【００８６】
このようにして、接着メッシュは窪み３と接する。
【００８７】
ベース１は、歯肉壁５および咬合壁６が立ち上がっているソケット４に至っている。
【００８８】
歯肉壁５および咬合壁６の２つは互いに平行に延びており、歯列矯正用語において「スロット」とも呼ばれる溝７によって分離されており、遠心から近心まで連続的に真っ直ぐに延びており、唇状に開いている。
【００８９】
歯肉壁５は、歯肉方向に突き出ている結紮翼８を備えている。
【００９０】
咬合方向に突き出ている結紮翼９は、咬合壁６上に設けられている。
【００９１】
結紮ワイヤーは、専門家が知る方法で固定することができる。
【００９２】
結紮翼８および結紮翼９は、相互に、対応して小さな結紮翼のそれぞれの対に分けることができ、これは、遠心方向から近心方向に、順次設定される。
【００９３】
結紮翼はフック型延長部９ａを有しており、本発明と比較して重要性はない。
【００９４】
本発明は、そのような結紮翼９のフック型延長部９ａを有するブラケット、およびそのようなフック型延長部９ａを有さないブラケットの両方に適している。
【００９５】
溝７は、アーチワイヤを受け入れるために使用されるが、アーチワイヤはブラケットの一部ではないので、図示されない。
【００９６】
アーチワイヤを張ることによって、溝７の底部１０に圧力を加え、且つ、ブラケットの壁５及び壁６にトルクを加えることが可能になる。
【００９７】
歯肉壁５の唇状凹部１４および咬合壁６の唇状凹部１５は、基本的に長方形の輪郭を有する主に平らに設計されたスライド１３を受ける。
【００９８】
凹部１４および凹部１５は、咬合側から歯肉側に延びる互いに平行なアンダーカット１１および１２を有し、凹部１５の底部１７および凹部１４の底部２０と共に、スライド１３のためのスライドガイドを含み、アンダーカット１１およびアンダーカット１２がこれを防止するため、スライド１３は唇側方向に出ることができない。
【００９９】
凹部１４および凹部１５は、共有されたアライメントにある。
【０１００】
凹部１４は咬合壁６を通過するのに対し、歯肉壁５の凹部１５は停止部で終わり、これは請求項に記載された「第２」停止部１８である。
【０１０１】
スライド１３は、咬合壁６のみにスライド１３を保持する開いた位置と図５〜７に示す閉鎖位置の間のアンダーカット１１とアンダーカット１２と同様に、凹部１４と１５によって形成されるガイドにおいて、歯肉−咬合方向に前後にずれさせることができる。
【０１０２】
開いた位置では、溝７は全幅にわたって唇側に開いている。
【０１０３】
開放位では、スライド１３の前端１９は、好ましくは溝７を境にして咬合壁６の表面で閉じる。
【０１０４】
閉位置では、特に図７に明確に示されるように、スライド１３の前端１９が歯肉壁５上の第２停止部１８に当たる。
【０１０５】
閉位置では、スライド１３は溝７をブリッジするので、その中を走るアーチワイヤは溝７から唇側方向に出ることができない。
【０１０６】
スリット状の凹部２１は、咬合壁６に位置し、これは、溝７を境にして咬合壁６の表面に基本的に平行に伸びる。
【０１０７】
溝７の方向に延びる凹部２１の対向表面２１ａ、２１ｂは、互いに平行に延びており、図７参照。
【０１０８】
表面２１ａ、２１ｂに対して直角に走るとともに、溝７に対して直角に走る表面２１ｃ、２１ｄは、凹部２１の唇状エッジ２１ｅに隣接する区間において互いに平行に走る。
【０１０９】
後者に隣接する区域では、表面２１ａ及び２１ｂに垂直に走る壁面は、もはや互いに平行ではなく、むしろ互いに鋭角に配列されており、したがって、ここでは楔面２１ｆ及び楔面２１ｇと称される。
【０１１０】
それらは、ブラケットの下側２に到達する前にロッキング要素用凹部２１を閉じ、これは、図４及び図６に例示されているように、ロッキング要素用凹部２１が、この部分の楔のようにテーパを形成することを意味する。
【０１１１】
図２に示されたロッキング要素２２は、ロッキング要素用凹部２１に挿入され、図４に示された位置と図６に示された位置との間で唇−舌方向に移動可能に前後に誘導される。
【０１１２】
ロッキング要素２２は、唇凸端２２ａを有し、この例示的な実施形態は、円筒ジャケット表面の切片のような形をしている。
【０１１３】
これは、アーチ様本体２３によって隣接しており、この本体は、ロッキング要素用凹部２１への導入を容易にするために、その外縁に面取り部２４を有することができる。
【０１１４】
アーチ様本体２３は、互いに平行な２つの走行鋭端２５と、それらを連結するヘッド部２６とからなり、これらはロッキング要素２２の唇凸端２２ａを担持している。
【０１１５】
鋭端２５の舌状端２２ｂは傾斜面又は円錐面２７を有し、その傾斜は楔面２１ｆ及び楔面２１ｇの傾斜と一致する。
【０１１６】
図２および図４に示される種類の緩和状態では、ロッキング要素２２の傾斜面又は円錐面２７は、したがって、ロッキング要素用凹部２１の楔面２１ｆおよび楔面２１ｇ上に完全に存在し、これは、スライド１３がその閉位置にある状態を示す、図４を参照されたい。
【０１１７】
図２及び図４に描かれているように、２つの鋭端２５はフォークのように配置され、言語的に先細りの方向に楔面２１ｆ及び楔面２１ｇに適合するように設計されている。
【０１１８】
ロッキング要素２２は、材料、特にプラスチックからなり、弾性的または弾性的に変形可能である。
【０１１９】
したがって、外圧にさらされることによって、鋭端２５を互いに近づけることができる。
【０１２０】
外圧は、その唇凸端２２ａに圧力を加えることによって、ロッキング要素２２をロッキング要素用凹部２１内により深く押し込むことによって加えることができる。
【０１２１】
その結果、鋭端２５の傾斜面又は円錐面２７は、言語方向、すなわちブラケットの下側、舌側２に向かう方向にスライドし、それによって、閉鎖位置と開放位置との間の位置にスライド１３が位置する状態を示す図６に描かれるように、曲げを介して、必然的に一緒に近づくように移動される。
【０１２２】
図２、４および６、ならびに図８〜１１に描かれるように、アーチ様本体２３のアーチ状の形状のために、２つの鋭端２５の間に自由な空間が存在するので、鋭端２５をより近くに移動させることができる。
【０１２３】
図７に描かれているような閉じた位置では、唇凸端２２ａは、可能な最大の測度だけロッキング要素用凹部２１の凹部２１の唇状エッジ２１ｅの上に突出する。
【０１２４】
ここで、唇凸端２２ａにおけるシリンダジャケット面全体は、凹部２１の唇状エッジ２１ｅの上方に位置しており、スライド１３の下側（言語側）のシリンダジャケット状の第２の窪み２８内に位置している。
【０１２５】
ロッキング要素２２の第２の窪み２８及び唇凸端２２ａは、スライド１３の閉位置を固定する、この位置のポジティブロック嵌合に入る。
【０１２６】
スライド１３を閉じた位置からその開いた位置に移動させるために、スライド１３の上側（唇側）に用意した１３の窪み１６にプランジャーを巻き込むことによって行うことができる、図７のイラストに沿ってスライド１３を右方向に押さえる。
【０１２７】
図７に沿ってスライド１３に右向きの圧力が作用した結果、後者は、第２の窪み２８の領域のロッキング要素２２に下向きの圧力を作用させ、その結果、後者はロッキング要素用凹部２１の中により深く押され、そこで復元力が鋭端２５の中に蓄積される。
【０１２８】
突起２９は、スライド１３の下側の第２の窪み２８に隣接している。
【０１２９】
ロッキング要素２２の唇凸端２２ａ上に滑り落ちると、ロッキング要素２２は、図６に示されるように、ロッキング要素用凹部２１において最も深い点に達し、図７に示されるように、突起２９は、第１の窪み３０と第２の窪み２８とを互いに分離する。
【０１３０】
図７に示すように、突起２９は、スライド１３のスライド１３の舌側端領域３７およびスライド１３の舌側端領域３８に対して深くすることができるが、第１の窪み３０および第２の窪み２８よりも深くなることは少ない。
【０１３１】
突起２９は、鋭端２５で終わるスライド１３の下側の平坦な凹部によって隣接している。
【０１３２】
扁平陥凹は、請求項１に記載された第１一の窪み３０を含む。
【０１３３】
スライド１３が、その第１の窪み３０を有するロッキング要素２２上を滑り上がると、後者は、突起２９の舌面と第１の窪み３０の床との間の距離によって決定される尺度によって、ロッキング要素用凹部２１から戻ってくることができる。
【０１３４】
これは、ロッキング要素２２の唇凸端２２ａと第１の窪み３０との係合をもたらし、スライド１３をその開位置に保持する。
【０１３５】
第１の窪み３０は、スライド１３が不注意に閉じた位置に戻らないようにするためにのみ働く。
【０１３６】
このセーフガードは、整形外科診療において患者の治療中にのみ開放位置が必要とされるため、閉鎖位置に対するセーフガードほど信頼性がある必要はない。
【０１３７】
対照的に、これは、スライドが、特に食物またはガムを噛んでいる間に、歯科矯正診療の外部で不注意にスライド１３開口し、それによって溝７に横たわるアーチワイヤが滑り出すのを防ぐことを意図しているため、閉鎖位置の方がより良好に固定されている。
【０１３８】
第１の窪み３０の境界となるスライド１３の下側の停止一部３１は、スライド１３が開いた位置から失われるのを防止する。
【０１３９】
図８は、図１〜７に示した種類のブラケットの咬合壁６からのカットアウトを示しており、ここでは、スライド１３の切片の縦方向の中央面を通して切断を行う。
【０１４０】
ここでは、長軸方向の中心面はスライド１３を中心に切る面と理解され、また、この溝７の長軸方向の伸長に対して直角に走り、また、同じく、直角の角度で、溝７の溝７の底部１０を切る（図７参照）。
【０１４１】
図１〜７に示した例に対する変化は、ロッキング要素２２が本質的に円筒形の本体であり、これは舌側端からスリットして２つの鋭端２５を形成し、ロッキング要素２２の唇側端である唇凸端２２ａが円形領域である切断された截頭円錐３４の唇側端に向かって続くという事実にある。
【０１４２】
ロッキング要素２２は、円筒形断面及び隣接する円錐形断面を有する試錐孔３６内に挿入される。
【０１４３】
ロッキング要素２２のこの形状に調整された、スライド１３の舌側における第１の円錐窪み３２および第２の円錐窪み３３は、デザインが円錐形である。
【０１４４】
第１の例示的な実施形態と同様に、スライド１３は、２つのアンダーカットで誘導され、そのうちの１つのアンダーカット１２のみが、選択されたセクションのため、図８から１１に示されている。
【０１４５】
図８および９は、その閉じた位置におけるスライド１３を示しており、この場合、ロッキング要素２２の切断された截頭円錐３４は、その開口角度が切断された截頭円錐３４の開口角度と一致する、円錐第２の窪み３３に嵌入する。
【０１４６】
図１０は、その閉位置とその開位置との中間位置にあるスライド１３を示す。
【０１４７】
この位置では、スライド１３は、ロッキング要素２２を試錐孔３６内へより深く押し付け、その結果、その傾斜面又は円錐面２７が閉鎖位置にある試錐孔３６の円錐面上に静止した２つの鋭端２５（図８および９）が、それらの先端で互いに近づくように移動された。
【０１４８】
２つの第１の円錐窪み３２および第２の円錐窪み３３の間に横たわるスライド１３の突起２９は、鋭端２５内の曲げ応力のために突起２９の下側に押圧される、ロッキング要素２２の唇凸端２２ａ上に存在する。
【０１４９】
図１１は、スライド１３をその開いた位置に示しており、ここでは、彼は円錐形の第１の窪み３２が試錐孔３６の上にあり、ロッキング要素２２はその鋭端２５の屈曲を逆転させ、その切り取られた截頭円錐３４を有する第１の円錐窪み３２に移動させている。
【０１５０】
先行する例示的な実施形態とは対照的に、この実施形態において、２つの円錐形の第１の円錐窪み３２および第２の円錐窪み３３は同一の深さを有する。
【符号の説明】
【０１５１】
１  ベース
２  下側、舌側
３  窪み
４  ソケット
５  歯肉壁
６  咬合壁
７  溝
８  結紮翼
９  結紮翼
９ａ  結紮翼９のフック型延長部
１０  溝７の底部
１１  アンダーカット
１２  アンダーカット
１３  スライド
１４  唇状凹部
１５  唇状凹部
１６  １３の窪み
１７  凹部１５の底部
１８  第２停止部
１９  前端
２０  凹部１４の底部
２１  ロッキング要素用凹部
２１ａ  凹部２１の表面
２１ｂ  凹部２１の表面
２１ｃ  壁面
２１ｄ  壁面
２１ｅ  凹部２１の唇状エッジ
２１ｆ  楔面
２１ｇ  楔面
２２  ロッキング要素
２２ａ  唇凸端
２２ｂ  舌状端
２３  アーチ様本体
２４  面取り部
２５  鋭端
２６  ヘッド部
２７  傾斜面又は円錐面
２８  第２の窪み
２９  突起
３０  第１の窪み
３１  停止一部
３２  第１の円錐窪み
３３  第２の円錐窪み
３４  截頭円錐
３６  試錐孔
３７  スライド１３の舌側端領域
３８  スライド１３の舌側端領域
【図１】
2021529600.tif 000003
【図２】
2021529600.tif 000004
【図３】
2021529600.tif 000005
【図４】
2021529600.tif 000006
【図５】
2021529600.tif 000007
【図６】
2021529600.tif 000008
【図７】
2021529600.tif 000009
【図８】
2021529600.tif 000010
【図９】
2021529600.tif 000011
【図１０】
2021529600.tif 000012
【図１１】
2021529600.tif 000013
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
ベース（１）と、
前記ベース（１）から延びる咬合壁（６）と、
前記ベース（１）から延びる歯肉壁（５）と、
前記咬合壁（６）と前記歯肉壁（５）とを分離し、且つ、近心方向から遠心方向に連続的に延びる溝（７）と、
唇側と舌側とを備え、前記咬合壁（６）及び／又は前記歯肉壁（５）に設けられたガイド（１１，１２，１４，１５）に保持され、ガイド内で歯肉−咬合方向に、前記溝（７）を橋渡しする閉鎖位置と前記溝（７）が解放される開放位置との間で、滑動可能なスライド（１３）と、
前記スライド（１３）をその閉鎖位置及びその開放位置の両方で保持する手段と、
を有し；
これらの手段は、前記歯肉壁（５）および／または前記咬合壁（６）において、前記スライド（１３）に向かって開いている凹部（２１）を含み、この凹部（２１）には、ロッキング要素（２２）が挿入されていて、前記ロッキング要素（２２）は、前記凹部（２１）から突出する凸に設計された唇側端（２２ａ）と、前記スライド（１３）の舌側に向けられ、前記凹部（２１）内に位置する舌側端（２２ｂ）とを有し；
前記舌側（１３）のスライドには、第１の窪み（３０，３２）と第２の窪み（２８，３３）が設けられ、これらは、前記窪み（２１）から突出した前記ロッキング要素（２２ａ）の凸端（２２ａ）が、前記スライド（１３）が開いた位置にあるときに前記第１の窪み（３０，３２）に入り、前記スライド（１３）が閉じた位置にあるときに前記第２の窪み（２８，３３）に入り込むように配置されていて；
ブラケットは、以下の付加的特徴によって特徴づけられる：
前記ロッキング要素（２２）の前記舌側端（２２ｂ）に隣接し、前記凹部（２１）には自由な空間が設けられている；
前記ロッキング要素（２２）は、舌側−唇側方向に前後に移動できるように前記凹部（２１）に誘導され、唇側−舌側方向に面する前記後端（２２ｂ）を有し、前記ロッキング要素（２２）が前後に移動するにつれて前記ロッキング要素（２２）を囲む前記凹部（２１）の壁（２１ａ〜２１ｇ）上を滑動する、弾性的または弾性的に屈曲可能な１つ以上の鋭端（２５）を有する；
前記凹部（２１）は唇から舌方向に先細りし、前記凹部（２１）と前記ロッキング要素（２２）は、その形状および位置に関して互いに適合し、前記スライド（１３）を前記ロッキング要素（２２）の前記凸端（２２ａ）上に押し上げると、前記ロッキング要素（２２）を前記第１の窪み（３０，３２）または前記第２の窪み（２８，３３）から強制的に押し出し、前記凹部（２１）の奥深くに入り込むようになり、前記凹部（２１）の先細り部分の前記鋭端（２５）を壁（２１ａ〜２１ｇ）によって偏向させ、その上を滑動して前記凹部（２１）の奥深くに入り、弾性的または弾性的に屈曲して、必然的に接近するように構成された、
歯列矯正用のセルフライゲーティングブラケット。
【請求項２】
ベース（１）と、
前記ベース（１）から延びる咬合壁（６）と、
前記ベース（１）から延びる歯肉壁（５）と、
前記咬合壁（６）と前記歯肉壁（５）とを分離し、且つ、近心方向から遠心方向に連続的に延びる溝（７）と、
唇側と舌側とを備え、前記咬合壁（６）及び／又は前記歯肉壁（５）に設けられたガイド（１１，１２，１４，１５）に保持され、ガイド内で歯肉−咬合方向に、前記溝（７）を橋渡しする閉鎖位置と前記溝（７）が解放される開放位置との間で、滑動可能なスライド（１３）と、
前記スライド（１３）をその閉鎖位置及びその開放位置の両方で保持する手段と、
を有し；
これらの手段は、前記歯肉壁（５）および／または前記咬合壁（６）において、前記スライド（１３）に向かって開いている凹部（２１）を含み、この凹部（２１）には、ロッキング要素（２２）が挿入されていて、前記ロッキング要素（２２）は、前記凹部（２１）から突出する凸に設計された唇側端（２２ａ）と、前記スライド（１３）の舌側に向けられ、前記凹部（２１）内に位置する舌側端（２２ｂ）とを有し；
前記舌側（１３）のスライドには、第１の窪み（３０，３２）と第２の窪み（２８，３３）が設けられ、これらは、前記窪み（２１）から突出した前記ロッキング要素（２２）の凸端（２２ａ）が、前記スライド（１３）が開いた位置にあるときに前記第１の窪み（３０，３２）に入り、前記スライド（１３）が閉じた位置にあるときに前記第２の窪み（２８，３３）に入り込むように配置されていて；
ブラケットは、以下の付加的特徴によって特徴づけられる：
前記ロッキング要素（２２）の前記舌側端（２２ｂ）に隣接し、前記凹部（２１）には自由な空間が設けられている；
前記ロッキング要素（２２）は、舌側−唇側方向に前後に移動できるように前記凹部（２１）に誘導され、唇側−舌側方向に面する前記後端（２２ｂ）を有し、前記ロッキング要素（２２）が前後に移動するにつれて前記ロッキング要素（２２）を囲む前記凹部（２１）の壁（２１ａ〜２１ｇ）上を滑動する、弾性的または弾性的に屈曲可能な１つ以上の鋭端（２５）を有する；
前記凹部（２１）は唇から舌方向に先細りし、前記凹部（２１）と前記ロッキング要素（２２）は、その形状および位置に関して互いに適合し、前記スライド（１３）を前記ロッキング要素（２２）の前記凸端（２２ａ）上に押し上げると、前記ロッキング要素（２２）を前記第１の窪み（３０，３２）または前記第２の窪み（２８，３３）から強制的に押し出し、前記凹部（２１）の奥深くに入り込むようになり、前記凹部（２１）の先細り部分の前記鋭端（２５）を壁（２１ａ〜２１ｇ）によって偏向させ、その上を滑動して前記凹部（２１）の奥深くに入り、弾性的または弾性的に屈曲して、必然的に接近するように構成された、
歯列矯正用のセルフライゲーティングブラケット。
【請求項３】
前記凹部（２１）が連続的に漸減することを特徴とする請求項１又は２に記載のセルフライゲーティングブラケット。
【請求項４】
前記凹部（２１）が閉じた舌側端を有することを特徴とする、請求項１、２または３に記載のセルフライゲーティングブラケット。
【請求項５】
前記ロッキング要素（２２）がプラスチックからなることを特徴とする、先の請求項のいずれか一項に記載のセルフライゲーティングブラケット。
【請求項６】
プラスティックが熱硬化性、例えばポリアリールエーテルケトン、特にポリエーテルエーテルケトン（ＰＥＥＫ）であることを特徴とする、請求項５に記載のセルフライゲーティングブラケット。
【請求項７】
前記スライド（１３）および前記ロッキング要素（２２）を含む前記ブラケットが透明または半透明であることを特徴とする、請求項５または６に記載のセルフライゲーティングブラケット。
【請求項８】
前記凹部（２１）が前記スライド（１３）に隣接する領域に一定の断面を有し、その後先細りすることを特徴とする、先の請求項のいずれか１項に記載のセルフライゲーティングブラケット。
【請求項９】
前記凹部（２１）が長方形の断面を有し、楔のように先細りすることを特徴とする請求項８に記載のセルフライゲーティングブラケット。
【請求項１０】
前記第１の窪み（３０）と前記第２の窪み（２８）が前記スライド（１３）の舌側に長方形の輪郭をもつことを特徴とする請求項９に記載のセルフライゲーティングブラケット。
【請求項１１】
前記凹部（２１）が円錐形の断面をもち、円錐形に先細りすることを特徴とする請求項８に記載のセルフライゲーティングブラケット。
【請求項１２】
前記第１の窪み（３２）と前記第２の窪み（３３）が前記スライド（１３）の舌側に円形の輪郭をもち、特に円錐形またはフラストコニカルであることを特徴とする請求項１１に記載のセルフライゲーティングブラケット。
【請求項１３】
前記凹部（２１）の２つのくさび形または円錐形の表面（以下、くさび形の表面）の間の角度、または円錐形の開口角度が８０°〜１００°、特に約９０°であることを特徴とする、請求項９〜１２のいずれか１項に記載のセルフライゲーティングブラケット。
【請求項１４】
前記ロッキング要素（２２）上に、フォークのように配置された２つの鋭端（２５）が用意されていることを特徴とする先の請求項のいずれか１項に記載のセルフライゲーティングブラケット。
【請求項１５】
前記鋭端（２５）は、その前記凸状の端部（２２ａ）に圧力を加えることによって、前記係止要素（２２）をより深く前記凹部（２１）内に押圧することによって互いに近づけることができ、その間、一方の前記鋭端（２５）または両方の前記鋭端（２５）は、前記凹部（２１）の前記テーパ状の部分における前記壁（２１ｆ、２１ｂ）上を摺動することによって曲げられることを特徴とする、請求項１４に記載のセルフライゲーティングブラケット。
【請求項１６】
２つの前記鋭端（２５）は、設計上、鏡面反転された同一であることを特徴とする請求項１４または１５に記載のセルフライゲーティングブラケット。
【請求項１７】
前記ロッキング要素（２２）が、２つの相互に平行に走る前記鋭端（２５）からなるアーチ状の本体（２３）と、前記ロッキング要素（２２ａ）の前記凸端（２２ａ）を担う、それらを連結する頭部セクション（２６）を有することを特徴とする、先のクレームのいずれか１項に記載のセルフライゲーティングブラケット。
【請求項１８】
前記ロッキング要素（２２）が、前記面取り部（２４）を備えた外縁を有することを特徴とする、先の請求項のいずれか１項に記載のセルフライゲーティングブラケット。
【請求項１９】
前記鋭端（２５）が、端部で前記凹部（２１）の隣接壁面に面する傾斜面または円錐面（２７）を有することを特徴とする、先の請求項のいずれか１項に記載のセルフライゲーティングブラケット。
【請求項２０】
傾斜面又は円錐面（２７）がロッキング要素（２２）の弛緩状態で前記凹部（２１）の前記隣接壁面（２１ｆ，２１ｇ）に平行に走ることを特徴とする請求項１９に記載のセルフライゲーティングブラケット。
【請求項２１】
無応力状態において、鋭端（２５）は、前記凹部（２１）の前記壁（２１ｆ、２１ｇ）に対して平坦に、特に完全に横たわることを特徴とする請求項８〜２０のいずれか１項に記載のセルフライゲーティングブラケット。
【請求項２２】
前記ブラケットの本体、特に前記歯肉壁（５）にストッパ（１８）が設けられ、前記スライド（１３）がその開位置からその閉位置に移動されながら閉位置を越えて変位するのを防止することを特徴とする、先行する請求項のいずれか１項に記載のセルフライゲーティングブラケット。
【請求項２３】
前記スライド（１３）の舌側の表面が、２つの前記窪み（２８，３０）を除いて平らであることを特徴とする、先の請求項のいずれか１項に記載のセルフライゲーティングブラケット。
【請求項２４】
２つの前記窪みの間に横たわる領域（２６）（２８，３０）を除いて、スライド（１３）の舌面が共有面にあるのに対し、２つの前記窪みの間に横たわる領域（２８，３０）は、共有面に対して深くなるが、２つの前記窪み（２８，３０）よりも深くなることが少ないことを特徴とする、請求項１〜２２のいずれか１項に記載のセルフライゲーティングブラケット。
【請求項２５】
２つの前記窪み（２８，３０）の間のより前記深い横たわり領域（２６）が平らであることを特徴とする、請求項２４に記載のセルフライゲーティングブラケット。
【請求項２６】
前記第２の前記凹部（２８）が前記第１の窪み（３０）より深いことを特徴とする、先の請求項のいずれか１項に記載のセルフライゲーティングブラケット。
【請求項２７】
少なくとも前記第２の凹部（２８）の輪郭が前記ロッキング要素（２２）の前記凸端（２２ａ）の輪郭に調整されていることを特徴とする、先の請求項のいずれか１項に記載のセルフライゲーティングブラケット。
【手続補正３】
【補正対象書類名】明細書
【補正対象項目名】０００１
【補正方法】変更
【補正の内容】
【０００１】
本発明は、請求項１の序文に示された特徴を有する歯列矯正用のセルフライゲーティングブラケット（以下ブラケット）に関する。
【国際調査報告】
2021529600.tif 000014
2021529600.tif 000015
2021529600.tif 000016
2021529600.tif 000017